(57)【要約】【課題】      折り畳み状態を維持する捲回部材で容易に保持する釣り用バケツを提供することである。【解決手段】  ケ−ス本体１は柔軟性を有する合成樹脂シ−トを用いて折り畳みができるように形成され、側部１ｂの対向する面が上下の中間が内側に折り曲げられる。  ケ−ス本体１の開口部１ａの対向する面の内側に捲回部材３、４の上端３ａ、４ａが夫々固定されている。  捲回部材３、４は例えばエチレン酢酸ビニ−ル、ポリエチレン、ポリ塩化ビニ−ル等の折り曲げが可能な柔軟性を有する合成樹脂シ−トで形成されている。  捲回部材３の下端３ｂの内側には雌スナップ状止着具５が固定されている。  捲回部材４の下端４ｂの外側には雄スナップ状止着具６が固定されている。【選択図】        図３
2006280283.tif 000002
【特許請求の範囲】
【請求項１】
少なくとも底部と側部を有し、上部に開口部を有するケ−ス本体の側部を折り曲げてケ−ス本体を折り畳み可能に形成し、折り畳んだケ−ス本体の外側に巻き付けてケ−ス本体の折り畳み状態を保持する捲回部材をケ−ス本体に取り付けたことを特徴とする釣り用バケツ。
【請求項２】
捲回部材は、その一端側がケ−ス本体の開口部の一側に取り付けられ、折り畳んだケ−ス本体の底部側を通り他端側が前記開口部の他側に取り付けられて折り畳み状態を保持することを特徴とする請求項１記載の釣り用バケツ。
【請求項３】
捲回部材はその一端側と他端側に分かれており、両捲回部材は折り畳んだケ−ス本体の底部側で互いに着脱自在に止着可能であることを特徴とする請求項１または２記載の釣り用バケツ。
【発明の詳細な説明】
【技術分野】
【０００１】
本発明は、ケ−ス本体の側部を折り曲げて折り畳みその状態が維持できる魚釣りに用いる釣り用バケツに関する。
【背景技術】
【０００２】
従来から折り畳み可能な釣り用バケツが用いられ、嵩張らずに持ち運びが出来て便利である。
しかし、釣り用バケツはそのまま折り畳み状態が維持できず広がってしまうと言う欠点があった。
このため無理に荷物の間に挟んで収納したり、例えば、特許文献１のように結束紐で縛って広がらないようにしていたがこのような結束紐を一緒に持ち運ぶのは不便で、バケツに巻き付けて縛る作業がやりにくかった。
【特許文献１】特許第２９７５９５２号公報
【発明の開示】
【発明が解決しようとする課題】
【０００３】
解決しようとする問題点は、特許文献１のように釣り用バケツを折り畳んで結束紐で縛って広がらないようにすることは、結束紐を一緒に持ち運ぶので不便であり、折り畳んだバケツへの巻き付け作業がしにくいことである。
【０００４】
本発明の目的は前記欠点に鑑み、折り畳み状態を維持する捲回部材で容易に保持する釣り用バケツを提供することである。
【課題を解決するための手段】
【０００５】
本発明の請求項１は、少なくとも底部と側部を有し、上部に開口部を有するケ−ス本体の側部を折り曲げてケ−ス本体を折り畳み可能に形成し、折り畳んだケ−ス本体の外側に巻き付けてケ−ス本体の折り畳み状態を保持する捲回部材をケ−ス本体に取り付けたことを要旨とするものである。
本発明の請求項２は、捲回部材は、その一端側がケ−ス本体の開口部の一側に取り付けられ、折り畳んだケ−ス本体の底部側を通り他端側が前記開口部の他側に取り付けられて折り畳み状態を保持することを要旨とするものである。
本発明の請求項３は、捲回部材はその一端側と他端側に分かれており、両捲回部材は折り畳んだケ−ス本体の底部側で互いに着脱自在に止着可能であることを要旨とするものである。
【発明の効果】
【０００６】
本発明の請求項１により、捲回部材をケ−ス本体に取り付けたのでケ−ス本体を折り畳んで容易にその折り畳み状態を保持することができる。
本発明の請求項２により、折り畳んだケ−ス本体が広がりにくく、折り畳み状態を確実に保持することができる。
本発明の請求項３により、折り畳んだケ−ス本体を広がらないように押さえながら捲回部材の取り付けができるため、捲回部材の巻き付けがしやすい。
【発明を実施するための最良の形態】
【０００７】
ケ−ス本体１は柔軟性を有する合成樹脂シ−トを用いて折り畳みができるように形成され、側部１ｂの対向する面が上下の中間が内側に曲がって折り畳みできるようになっている。
ケ−ス本体１の開口部１ａの対向する面の内側に捲回部材３、４の上端３ａ、４ａが夫々固定されている。
捲回部材３、４は例えばエチレン酢酸ビニ−ル、ポリエチレン、ポリ塩化ビニ−ル等の折り曲げが可能な柔軟性を有する合成樹脂シ−トで形成されている。
捲回部材３の下端３ｂの内側には雌スナップ状止着具５が固定されている。
捲回部材４の下端４ｂの外側には雄スナップ状止着具６が固定されている。
止着具５、６は夫々捲回部材３、４の下側に一組設けてもよいし、複数組設けてもよい。
止着具５、６は雄雌逆でもよい。
止着具はスナップ状係止具に代えて面ファスナでもよい。
【実施例１】
【０００８】
以下、図示の実施例によって本発明を説明すると、図１から図４は第１実施例で、図１は釣り用バケツの断面側面図と開口部の一部拡大断面側面図、図２は要部拡大断面側面図、図３はバケツ本体が折り畳まれて捲回部材で止着された断面側面図と（ａ）は開口部の一部拡大断面側面図で（ｂ）は止着具の拡大断面側面図、図４は釣り用バケツが折り畳まれた斜視図である。
【０００９】
釣り用バケツは、ケ−ス本体１が例えばエチレン酢酸ビニ−ル、ポリエチレン、ポリ塩化ビニ−ル等の折り曲げが可能な柔軟性を有する非透湿性の合成樹脂シ−トに上方に開口部１ａを有するように例えば四角形（丸形でもよい）に形成されて、これらシ−トの端部を溶着や接着をして一周する側部１ｂと底部１ｃとし、側部１ｂは折り畳みができるように形成されている。
ケ−ス本体１には開口部１ａに沿って硬質（金属や合成樹脂）のフレ−ム２が設けられ、フレ−ム２の外側をシ−トは内側から外側にフレ−ム２で折り返され、端部が開口部１ａの外側の容器壁に止着（縫着、溶着等）されて折り返し部１ｄとなっている。
ケ−ス本体１は柔軟性を有する合成樹脂シ−トを用いて折り畳みができるように形成し、側部１ｂの対向する面が上下の中間が内側に曲がって折り畳みが容易にできる。
折り曲げ部は周辺より薄肉に形成するなどして設けられてもよい。
ケ−ス本体１の開口部１ａの対向する面の内側に捲回部材３、４の上端３ａ、４ａが夫々固定されている。
【００１０】
捲回部材３、４は例えばエチレン酢酸ビニ−ル、ポリエチレン、ポリ塩化ビニ−ル等の折り曲げが可能な柔軟性を有する合成樹脂シ−トで形成されている。
捲回部材３の下端３ｂの内側には雌スナップ状止着具５が固定されている。
捲回部材４の下端４ｂの外側には雄スナップ状止着具６が固定されている。
止着具５、６は夫々捲回部材３、４の下側に一組設けてもよいし、複数組設けてもよい。
止着具５、６は雄雌逆でもよい。
止着具はスナップ状係止具に代えて面ファスナでもよい。
【００１１】
釣り用バケツは、ケ−ス本体１の開口部１ａの対向位置にハンドル止着部７、７が固定されている。
ハンドル止着部７、７にはハンドル８が回動自在に取り付けられ、ハンドル８に吊り下げ紐９が取り付けられている。
ハンドル８は、例えばエチレン酢酸ビニ−ル等の合成樹脂製で開口部１ａ上方をア−チ状に跨ぐように架設されている。
【００１２】
ケ−ス本体１を折り畳み、折り畳んだ状態を保持するには、捲回部材３、４を夫々ケ−ス本体１の開口部１ａから外側に持ち出し、開口部１ａを下側にして床上等に載せ、側部１ｂの対向する面の上下の中間を内側に折り曲げて底部１ｃを開口部１ａに向けて側部１ｂを押しつぶす。
その後捲回部材３、４をそれぞれ底部１ｃの裏面に回して捲回部材４を内側に、捲回部材３を外側にして重ね、止着具５、６を止着係合する。
【００１３】
前記のように釣り用バケツが構成されると、捲回部材３、４をケ−ス本体１に取り付けたのでケ−ス本体１を折り畳んで容易にその折り畳み状態を保持することができる。
折り畳んだケ−ス本体１が広がりにくく、折り畳み状態を確実に保持することができる。
折り畳んだケ−ス本体１を広がらないように押さえながら捲回部材３、４の止着係合ができるため、捲回部材３、４の巻き付けがしやすい。
【実施例２】
【００１４】
図５、図６は第２実施例で、図５は釣り用バケツの断面側面図と一側側の一部拡大断面側面図、図６はバケツ本体が折り畳まれて捲回部材で止着された断面側面図と止着具の拡大断面側面図である。
【００１５】
第２実施例では、ケ−ス本体１の開口部１ａの一側面の内側に捲回部材３′の上端３ａが固定されている。
捲回部材３′の下端３ｃの内側には雌スナップ状止着具５が固定されている。
ケ−ス本体１の開口部１ａの他側面の側部１ｂの内側に雄スナップ状止着具６が固定されている。
他の構成は前記第１実施例と略同一である。
【００１６】
ケ−ス本体１を折り畳み、折り畳んだ状態を保持するには、捲回部材３′をケ−ス本体１の開口部１ａから外側に持ち出して底部１ｃの裏面側に回す。
次に底部１ｃを下側にして床上等に載せたまま、側部１ｂの対向する面の上下の中間を内側に折り曲げて開口部１ａを底部１ｃに向けて側部１ｂを押しつぶす。
その後捲回部材３′の下端３ｃを底部１ｃの下から引き出して開口部１ａの他側側に引き上げ、開口部１ａの内側に現れた側部１ｂの雄スナップ状止着具６に雌スナップ状止着具５を止着係合する。
【００１７】
前記のように釣り用バケツが構成されると、捲回部材３′をケ−ス本体１に取り付けたのでケ−ス本体１を折り畳んで容易にその折り畳み状態を保持することができる。
折り畳んだケ−ス本体１が広がりにくく、折り畳み状態を確実に保持することができる。
折り畳んだケ−ス本体１を広がらないように押さえながら捲回部材３′の止着係合ができるため、捲回部材３′の巻き付けがしやすい。
なお、実施例１および実施例２の捲回部材３、３′、４はその一端がケ−ス本体１に固定されて取り付けられているが、固定せずに着脱自在に取り付け、捲回部材３、３′、４をケ−ス本体１から取り外し可能にしてもよい。
【産業上の利用可能性】
【００１８】
本発明は釣り用バケツ全般に利用できる。
【図面の簡単な説明】
【００１９】
【図１】第１実施例で、釣り用バケツの断面側面図と開口部の一部拡大断面側面図である。
【図２】同要部拡大断面側面図である。
【図３】同バケツ本体が折り畳まれて捲回部材で止着された断面側面図と（ａ）は開口部の一部拡大断面側面図で（ｂ）は止着具の拡大断面側面図である。
【図４】同釣り用バケツが折り畳まれた斜視図である。
【図５】第２実施例で、釣り用バケツの断面側面図と一側側の一部拡大断面側面図である。
【図６】同バケツ本体が折り畳まれて捲回部材で止着された断面側面図と止着具の拡大断面側面図である。
【符号の説明】
【００２０】
１  ケ−ス本体
１ａ  開口部
１ｂ  側部
１ｃ  底部
３、３′、４  捲回部材
５、６  止着具
【図１】
2006280283.tif 000003
【図２】
2006280283.tif 000004
【図３】
2006280283.tif 000005
【図４】
2006280283.tif 000006
【図５】
2006280283.tif 000007
【図６】
2006280283.tif 000008